(57)【要約】【課題】精度の高い障害発生の予期に基づいて、データの保存先を切り替えること。【解決手段】情報処理装置は、ネットワークを介してサーバと接続され、自装置の地理的位置情報を取得する位置情報取得部と、前記サーバから、地理的位置に関連付けられる落雷確率を含む天気情報を取得する天気情報取得部と、前記地理的位置情報に基づいて、前記天気情報から落雷確率を抽出する落雷確率抽出部と、停電を検知し、停電の発生日時及び停電の発生回数を示す情報を含む停電統計情報を記録する停電履歴記録部と、前記抽出された落雷確率及び前記停電統計情報に基づいて、停電確率を算出する停電確率算出部と、前記算出された停電確率に基づいて、データの保存先を切り替えるデータ保存先決定部とを有する。【選択図】図３
2019166744.tif 000002
【特許請求の範囲】
【請求項１】
ネットワークを介してサーバと接続される情報処理装置であって、
自装置の地理的位置情報を取得する位置情報取得部と、
前記サーバから、地理的位置に関連付けられる落雷確率を含む天気情報を取得する天気情報取得部と、
前記地理的位置情報に基づいて、前記天気情報から落雷確率を抽出する落雷確率抽出部と、
停電を検知し、停電の発生日時及び停電の発生回数を示す情報を含む停電統計情報を記録する停電履歴記録部と、
前記抽出された落雷確率及び前記停電統計情報に基づいて、停電確率を算出する停電確率算出部と、
前記算出された停電確率に基づいて、データの保存先を切り替えるデータ保存先決定部とを有する情報処理装置。
【請求項２】
前記データ保存先決定部は、
保存される全データを重要データ又は非重要データに分類する情報を有し、
前記停電確率が、第１の範囲である場合、全データを不揮発性メモリに記憶させ、
前記停電確率が、第２の範囲である場合、重要データを不揮発性メモリに記憶させ、かつ非重要データを揮発性メモリに記憶させ、
前記停電確率が、第３の範囲である場合、全データを揮発性メモリに記憶させる請求項１記載の情報処理装置。
【請求項３】
ユーザが前記分類する情報を前記データ保存先決定部に登録するためのデータ種別登録部をさらに有する請求項２記載の情報処理装置。
【請求項４】
前記データ種別登録部は、ユーザがプルダウン方式で前記分類する情報を選択する請求項３記載の情報処理装置。
【請求項５】
停電後に電源が復帰したとき、前記データ保存先決定部が記憶させたデータを使用して処理を継続するか否かをユーザが選択するためのデータ復旧選択部を有する請求項２記載の情報処理装置。
【請求項６】
前記停電統計情報に含まれる所定の期間における停電の発生回数に基づいて、停電確率を算出する請求項１記載の情報処理装置。
【請求項７】
前記所定の期間における停電の発生回数が所定の回数以上である場合、停電確率を高く算出する補正を行い、前記所定の期間における停電の発生回数が所定の回数以下である場合、停電確率を低く算出する補正を行う請求項６記載の情報処理装置。
【請求項８】
前記所定の期間は、過去半年間である請求項７記載の情報処理装置。
【請求項９】
特定の月における停電確率を算出する場合、過去複数年間において記録された停電の発生回数から算出される前記特定の月１か月間における停電の平均発生回数が、所定の回数以上である場合、停電確率を高く算出する補正を行い、前記停電の平均発生回数が、所定の回数以下である場合、停電確率を低く算出する補正を行う請求項６記載の情報処理装置。
【請求項１０】
ネットワークを介してサーバと接続される情報処理装置が実行する情報処理方法であって、
自装置の地理的位置情報を取得する位置情報取得手順と、
前記サーバから、地理的位置に関連付けられる落雷確率を含む天気情報を取得する天気情報取得手順と、
前記地理的位置情報に基づいて、前記天気情報から落雷確率を抽出する落雷確率抽出手順と、
停電を検知し、停電の発生日時及び停電の発生回数を示す情報を含む停電統計情報を記録する停電履歴記録手順と、
前記抽出された落雷確率及び前記停電統計情報に基づいて、停電確率を算出する停電確率算出手順と、
前記算出された停電確率に基づいて、データの保存先を切り替えるデータ保存先決定手順とを実行する情報処理方法。
【発明の詳細な説明】
【技術分野】
【０００１】
本発明は、情報処理装置及び情報処理方法に関する。
【背景技術】
【０００２】
電子写真方式の画像形成装置では、処理データを不揮発性メモリ、例えばＮＶＲＡＭ（Non-Volatile Random Access Memory）、ｅＭＭＣ（embedded Multi Media Card）、ＳＳＤ（Solid State Drive）等に保存することで、画像形成装置本体の電源をＯＦＦ／ＯＮした場合でもデータを損なわないように保持する技術が既に知られている。一方、不揮発性メモリへのデータの読み書きは処理時間が揮発性メモリに比べて長いこと、書き込み回数の上限があること等の理由から、常時不揮発性メモリを使用することはできない。そのため、保存の必要性があり、アクセス回数も少なくて済むデータ、例えば初期設定値又はアドレス帳データ等以外は、揮発性メモリを用いて処理する技術が既に知られている。
【０００３】
また、天気情報データから電源装置設置箇所の雷予報の有無を判別し、雷予報を取得したとき、直送回路給電からバッテリ給電方式に切り替える技術が既に知られている（例えば特許文献１）。
【発明の概要】
【発明が解決しようとする課題】
【０００４】
しかしながら、天気情報データのみに基づいた給電方式の切り替えは、障害発生の予期において精度が不足していた。
【０００５】
本発明は、上記の点に鑑みてなされたものであって、精度の高い障害発生の予期に基づいて、データの保存先を切り替えることを目的とする。
【課題を解決するための手段】
【０００６】
そこで上記課題を解決するため、情報処理装置は、ネットワークを介してサーバと接続され、自装置の地理的位置情報を取得する位置情報取得部と、前記サーバから、地理的位置に関連付けられる落雷確率を含む天気情報を取得する天気情報取得部と、前記地理的位置情報に基づいて、前記天気情報から落雷確率を抽出する落雷確率抽出部と、停電を検知し、停電の発生日時及び停電の発生回数を示す情報を含む停電統計情報を記録する停電履歴記録部と、前記抽出された落雷確率及び前記停電統計情報に基づいて、停電確率を算出する停電確率算出部と、前記算出された停電確率に基づいて、データの保存先を切り替えるデータ保存先決定部とを有する。
【発明の効果】
【０００７】
精度の高い障害発生の予期に基づいて、データの保存先を切り替えることができる。
【図面の簡単な説明】
【０００８】
【図１】本発明の実施の形態における情報処理システムの例を示す図である。
【図２】本発明の実施の形態における画像形成装置１のハードウェア構成の例を示すブロック図である。
【図３】本発明の実施の形態における画像形成装置１のソフトウェア構成の例を示すブロック図である。
【図４】本発明の実施の形態におけるデータ保存先切り替え処理を説明するためのシーケンス図である。
【図５】本発明の実施の形態におけるデータ保存先切り替え処理を説明するためのフローチャートである。
【発明を実施するための形態】
【０００９】
以下、図面に基づいて本発明の実施の形態を説明する。
【００１０】
図１は、本発明の実施の形態における情報処理システムの例を示す図である。図１に示されるように、情報処理システムは、画像形成装置１、ネットワーク２及び天気情報提供サーバ３を有する。
【００１１】
画像形成装置１は、画像処理機能および通信機能を有する情報処理装置であり、例えば、ＭＦＰ(Multifunction Peripheral/Printer/Product)、ファクシミリ、スキャナ、又はプリンタである。図１に示される画像形成装置１は、例えば、ファクシミリ、スキャナ及びプリンタ機能を有するＭＦＰであってもよいし、プリンタであってもよい。
【００１２】
ネットワーク２は、画像形成装置１及び天気情報提供サーバ３が接続されるネットワークである。例えば、ネットワーク２は、インターネットを一部に含むネットワークであってもよい。画像形成装置１は、ネットワーク２を介して天気情報提供サーバ３と通信を行う。
【００１３】
天気情報提供サーバ３は、天気情報を画像形成装置１に提供する情報処理装置である。天気情報は、落雷予報データを含む。また、天気情報は、位置情報と関連付けられている。すなわち、特定の位置に対応する天気情報を天気情報提供サーバ３から画像形成装置１は取得することができる。
【００１４】
図２は、本発明の実施の形態における画像形成装置１のハードウェア構成の例を示すブロック図である。図２に示されるように、画像形成装置１は、コントローラ２０と、プロッタ３２、操作部３３及びスキャナ３４とがそれぞれのインタフェースを介して接続された構成を有する。コントローラ２０は、ＣＰＵ（Central Processing Unit）２１、ＲＯＭ（Read Only Memory）２２、ＲＡＭ（Random Access Memory）２３、ＮＶＲＡＭ（Non Volatile RAM）２４、ＨＤＤ（Hard Disk Drive）２５、ネットワークＩ／Ｆ２６、エンジンＩ／Ｆ２７、パネルＩ／Ｆ２８、スキャナＩ／Ｆ２９、ＦＣＵ（Facsimile Control Unit）３０及びメディアＩ／Ｆ３１を有し、バス３５を介して各装置が接続されている。
【００１５】
コントローラ２０は、画像形成装置１全体を制御し、印刷、通信、ユーザインタフェースからの入力を制御及び処理するコントローラである。プロッタ３２は、用紙に画像を印刷する。操作部３３は、印刷条件の設定等に係るユーザの入力を取得し、画像形成装置１の状態等を表示する。スキャナ３４は、圧板又はＤＦ（Document Feeder）によって原稿をスキャンする。
【００１６】
ＣＰＵ２１は、ＲＯＭ２２に格納されるプログラムを実行してコントローラ２０の制御を行う。ＲＯＭ２２は、コントローラ２０を制御するために必要なプログラム及びデータを記憶する不揮発性の記憶装置である。ＲＡＭ２３は、ＣＰＵ２１がプログラムを実行するときに使用する揮発性の記憶装置である。ＮＶＲＡＭ２４は、電源断時であっても保持する必要があるデータを格納するための不揮発性の記憶装置である。ＨＤＤ２５は、描画した画像のデータ又は受信した印刷データ等を保存するための不揮発性の記憶装置である。
【００１７】
ネットワークＩ／Ｆ２６は、印刷データの送信元ＰＣ（Personal Computer）、天気情報提供サーバ３等と通信を行うためのインタフェースである。エンジンＩ／Ｆ２７は、コントローラ２０からプロッタ３２を制御するインタフェースである。パネルＩ／Ｆ２８は、コントローラ２０から操作部３３を制御するインタフェースである。スキャナＩ／Ｆ２９は、コントローラ２０からスキャナ３４を制御するインタフェースである。ＦＣＵ３０は、ファクシミリ機能を実現する装置である。メディアＩ／Ｆ３１は、記録メディア３６に対するデータの読み取り又は書き込みを制御するインタフェースである。
【００１８】
図３は、本発明の実施の形態における画像形成装置１のソフトウェア構成の例を示すブロック図である。図３に示されるように、画像形成装置１は、位置情報取得部１０１、天気情報取得部１０２、落雷確率抽出部１０３、停電確率算出部１０４、停電履歴記録部１０５、データ保存先決定部１０６及びネットワークインタフェース１０７を有する。これら各機能部は、ＣＰＵ２１がＲＯＭ２２又はＨＤＤ２５等に格納されたプログラムを実行することで実現される。
【００１９】
位置情報取得部１０１は、画像形成装置１が設置された位置を取得する。画像形成装置１が設置された位置は、設置の際サービスマンによって登録されてもよいし、ユーザによって操作部３３から入力されてもよい。また、画像形成装置１が設置された位置は、ＧＮＳＳ（Global Navigation Satellite System）の測位によって取得されてもよいし、他の装置からネットワークインタフェース１０７を経由した通信によって入手されてもよい。取得された位置情報は、ＲＡＭ２３又はＮＶＲＡＭ２４に格納される。
【００２０】
天気情報取得部１０２は、ネットワークインタフェース１０７を用いてネットワーク２を介して天気情報提供サーバ３から天気情報を取得する。取得された天気情報は、ＲＡＭ２３又はＮＶＲＡＭ２４に格納される。
【００２１】
落雷確率抽出部１０３は、天気情報取得部１０２によって取得された天気情報と、位置情報取得部１０１によって取得された位置情報とから、落雷確率を抽出する。すなわち、当該位置情報に対応する天気情報に含まれる落雷予報データから、落雷確率を抽出する。当該位置情報に対応する天気情報が存在しない場合、最も近い位置に対応する天気情報を使用する。あるいは、いずれの位置の天気情報を使用するか、予めサービスマン又はユーザが指定してもよい。
【００２２】
停電履歴記録部１０５は、画像形成装置１に供給される電源の停電又は瞬断が発生した場合、停電又は瞬断が発生した日時及び発生回数を記録する。図示しないが、停電履歴記録部１０５は、停電検知部１０５１、停電情報記録部１０５２及び停電統計情報管理部１０５３を有する。停電情報記録部１０５２は、停電又は瞬断が発生した日時を取得して停電統計情報管理部１０５３に保存させる。停電履歴記録部１０５は、所定の期間の瞬断の記録から、停電統計情報を作成又は更新する。なお、停電又は瞬断の発生について、停電検知部１０５１は、供給される電源電圧を監視しており、所定の閾値以下に電圧が低下したとき、停電又は瞬断が発生したと判定する。なお、停電履歴記録部１０５は、停電又は瞬断が発生したと判定された時点の落雷確率を落雷確率抽出部１０３から取得して、停電又は瞬断が発生した日時及び発生回数と関連付けて記録してもよい。
【００２３】
停電確率算出部１０４は、停電統計情報及び落雷確率に基づいて、停電確率を算出する。停電統計情報に応じて、落雷確率は重み付けされてもよい。
【００２４】
例えば、ある落雷確率が、停電統計情報において停電又は瞬断の回数が多い落雷確率の範囲であった場合、停電確率を高く算出する補正を行ってもよいし、ある落雷確率が、停電統計情報において停電又は瞬断の回数が少ない落雷確率の範囲であった場合、停電確率を低く算出する補正を行ってもよい。
【００２５】
また、例えば、特定の月における停電確率を算出する場合、過去数年間に記録された停電又は瞬断の回数から算出される特定の月１か月間における停電又は瞬断の平均回数が、所定の回数以上である場合、停電確率を高く算出する補正を行ってもよいし、所定の回数以下である場合、停電確率を低く算出する補正を行ってもよい。例えば、停電統計情報から過去３年間の月別の停電又は瞬断の回数を取得し、当該回数が多い月の停電確率を算出する場合には、１．１倍の補正を落雷確率に行ったものを停電確率の算出に使用する。
【００２６】
また、例えば、所定の期間に記録された停電又は瞬断の回数が、所定の回数以上である場合、停電確率を高くしてもよいし、所定の回数以下である場合、算出される停電確率を低くしてもよい。所定の期間は、例えば、１か月であってもよいし、半年であってもよい。例えば、停電統計情報から過去半年の停電又は瞬断の回数を取得し、当該回数が５回以上の場合には、１．２倍、５回未満２回以上の場合には１．１倍、２回未満の場合には１．０倍の補正を落雷確率に行ったものを停電確率の算出に使用する。
【００２７】
データ保存先決定部１０６は、停電確率算出部１０４によって算出された停電確率に基づいて、データ保存先を決定する。
【００２８】
図４は、本発明の実施の形態におけるデータ保存先切り替え処理を説明するためのシーケンス図である。ステップＳ１０１からステップＳ１０６は、データ保存先切り替え処理の事前準備として行われる処理又はループ処理である。
【００２９】
ステップＳ１０１において、位置情報取得部１０１は、位置情報の更新を行う。ステップＳ１０１は、他のステップとは独立して実行され、所定の期間ごとに繰り返されてもよい。図３で説明したように位置情報取得部１０１は、画像形成装置１が設置された位置を取得する。画像形成装置１が設置された位置は、設置の際サービスマンによって登録されてもよいし、ユーザによって操作部３３から入力されてもよいし、ＧＮＳＳの測位によって取得されてもよいし、他の装置からネットワークインタフェース１０７を経由した通信によって入手されてもよい。
【００３０】
ステップＳ１０２において、天気情報取得部１０２は、ネットワーク２を介して天気情報提供サーバ３から天気情報を取得して、天気情報の更新を行う。ステップＳ１０２は、他のステップとは独立して実行され、所定の期間ごとに繰り返されてもよい。
【００３１】
ステップＳ１０３において、停電検知部１０５１は、画像形成装置１に供給される電源の停電を検知し、停電発生通知を停電情報記録部１０５２に送信する。続いて、停電情報記録部１０５２は、日時取得を行い（Ｓ１０４）、停電の発生日時通知を停電統計情報管理部１０５３に送信する（Ｓ１０５）。停電統計情報管理部１０５３は、受信した停電の発生日時通知及び所定の期間の停電回数を記憶装置、すなわちＲＡＭ２３、ＮＶＲＡＭ２４又はＨＤＤ２５に記憶させる。停電回数をカウントする所定の期間は、１日間であってもよいし、半日又は数時間等であってもよい。なお図示しないが、停電統計情報管理部１０５３は、停電又は瞬断が発生したと判定された時点の落雷確率を落雷確率抽出部１０３から取得して、停電又は瞬断が発生した日時及び発生回数と関連付けて記録してもよい。ステップＳ１０３からステップＳ１０６は、他のステップとは独立して実行され、停電が発生するごとに繰り返されてもよい。
【００３２】
ステップＳ２０１からステップＳ２０７は、ステップＳ１０１からステップＳ１０６までで実行されたデータ保存先切り替え処理の事前準備の後に、データ保存先切り替え処理を行うシーケンスである。
【００３３】
ステップＳ２０１において、データ保存先決定部１０６は、停電確率取得要求を停電確率算出部１０４に送信する。続いて、停電確率算出部１０４は、落雷確率取得要求を落雷確率抽出部１０３に送信する（Ｓ２０２）。続いて、落雷確率抽出部１０３は、位置情報取得要求を位置情報取得部１０１に送信する（Ｓ２０３）。続いて、破線で示されるように、位置情報取得部１０１から、落雷確率抽出部１０３に位置情報を含む応答が送信される。
【００３４】
ステップＳ２０４において、落雷確率抽出部１０３は、天気情報取得要求を天気情報取得部１０２に送信する。続いて、破線で示されるように、天気情報取得部１０２から、落雷確率抽出部１０３に天気情報を含む応答が送信される。落雷確率抽出部１０３は、取得した位置情報及び天気情報に基づいて、落雷確率を抽出する。続いて、破線で示されるように、落雷確率抽出部１０３から、停電確率算出部１０４に落雷確率を含む応答が送信される。
【００３５】
ステップＳ２０５において、停電確率算出部１０４は、停電統計情報取得要求を停電統計情報管理部１０５３に送信する。続いて、破線で示されるように、停電統計情報管理部１０５３から、停電確率算出部１０４に停電統計情報を含む応答が送信される。
【００３６】
ステップＳ２０６において、停電確率算出部１０４は、取得した落雷確率と停電統計情報とに基づいて、停電確率を算出する。続いて、破線で示されるように、停電確率算出部１０４から、データ保存先決定部１０６に停電確率を含む応答が送信される。
【００３７】
ステップＳ２０７において、データ保存先決定部１０６は、取得したされた停電確率に基づいて、データ保存先を決定する。表１は、停電確率とデータ保存先との対応を示す表である。
【００３８】
【表１】
2019166744.tif 000003
表１に示されるように、停電確率が「高」である場合、データ保存先として揮発性メモリは使用せず、不揮発性メモリに全データを保存する。停電確率が「高」であるとは、例えば、停電確率が７０％から１００％の確率であることに対応する。
【００３９】
また、表１に示されるように、停電確率が「中」である場合、非重要データは揮発性メモリに、重要データは不揮発性メモリに保存される。停電確率が「中」であるとは、例えば、停電確率が３０％から７０％の確率であることに対応する。
【００４０】
また、表１に示されるように、停電確率が「低」である場合、データ保存先として不揮発性メモリは使用せず、揮発性メモリに全データを保存する。停電確率が「低」であるとは、例えば、停電確率が０％から３０％の確率であることに対応する。
【００４１】
なお、停電確率「高」「中」「低」を規定するパーセント値は例であり、適宜変更されてもよい。例えば、停電確率「高」は５０％から１００％、停電確率「中」は２５％から５０％、停電確率「低」は０％から２５％であってもよい。表１に基づいたデータ保存先決定部１０６が実行する処理を図５で説明する。
【００４２】
なお、全データは、画像形成装置１が有するデータの一部であって、重要データ及び非重要データから構成される。すなわち、全データは、重要データと非重要データとに分類される。ユーザは、あるデータが重要データ又は非重要データに分類されるかを決定して、データ保存先決定部１０６に当該データの分類を示す情報を登録してもよい。また、画像形成装置１は、ユーザが任意の種別のデータを、重要データ又は非重要データとして分類して登録するためのデータ種別登録部を操作部３３によって実現してもよい。また、データ種別登録部は、予め定められたデータ種別をプルダウン方式でユーザが選択することで、あるデータを重要データ又は非重要データとして分類してもよい。
【００４３】
なお、画像形成装置１は、停電後に電源が復帰した時点で、保存されたデータを使用して処理を継続するか否かをユーザが選択するデータ復旧選択部を操作部３３によって実現してもよい。
【００４４】
図５は、本発明の実施の形態におけるデータ保存先切り替え処理を説明するためのフローチャートである。図５において、ステップＳ２０７の処理の詳細を説明する。
【００４５】
ステップＳ３０１において、データ保存先決定部１０６は、停電確率が「高」であるか否かを判定する。停電確率が「高」である場合、ステップＳ３０２に進み（ステップＳ３０１のＹＥＳ）、停電確率が「高」でない場合、ステップＳ３０３に進む（ステップＳ３０１のＮＯ）。ステップＳ３０２において、データ保存先決定部１０６は、全データの保存先を不揮発性メモリすなわちＮＶＲＡＭ２４又はＨＤＤ２５に変更して、フローを終了する。
【００４６】
ステップＳ３０３において、データ保存先決定部１０６は、停電確率が「中」であるか否かを判定する。停電確率が「中」である場合、ステップＳ３０４に進み（ステップＳ３０３のＹＥＳ）、停電確率が「中」でない場合、ステップＳ３０６に進む（ステップＳ３０２のＮＯ）。ステップＳ３０４において、データ保存先決定部１０６は、重要データの保存先を不揮発性メモリすなわちＮＶＲＡＭ２４又はＨＤＤ２５に変更する。続いて、非重要データの保存先を揮発性メモリすなわちＲＡＭ２３に変更して（Ｓ３０５）、フローを終了する。
【００４７】
ステップＳ３０６において、データ保存先決定部１０６は、停電確率が「低」であるか否かを判定する。停電確率が「低」である場合、ステップＳ３０７に進み（ステップＳ３０６のＹＥＳ）、停電確率が「低」でない場合、フローを終了する（ステップＳ３０６のＮＯ）。ステップＳ３０７において、データ保存先決定部１０６は、全データの保存先を揮発性メモリすなわちＲＡＭ２３に変更して、フローを終了する。
【００４８】
上述のように、本発明の実施の形態によれば、画像形成装置１は、天気情報を天気情報提供サーバ３から取得して自装置が設置された位置に基づく落雷確率を抽出し、停電した日時及び回数を停電統計情報として記録する。画像形成装置１は、落雷確率及び停電統計情報に基づいて、停電確率を算出し、当該停電確率に応じてデータの保存先を変更することができる。
【００４９】
すなわち、精度の高い障害発生の予期に基づいて、データの保存先を切り替えることができる。
【００５０】
なお、本発明の実施の形態において、画像形成装置１は、情報処理装置の一例である。位置情報は、地理的位置情報の一例である。停電確率「高」は、第１の範囲の一例である。停電確率「中」は、第２の範囲の一例である。停電確率「低」は、第３の範囲の一例である。
【００５１】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００５２】
１        画像形成装置
２        ネットワーク
３        天気情報提供サーバ
２０      コントローラ
２１      ＣＰＵ
２２      ＲＯＭ
２３      ＲＡＭ
２４      ＮＶＲＡＭ
２５      ＨＤＤ
２６      ネットワークＩ／Ｆ
２７      エンジンＩ／Ｆ
２８      パネルＩ／Ｆ
２９      スキャナＩ／Ｆ
３０      ＦＣＵ
３１      メディアＩ／Ｆ
３２      プロッタ
３３      操作部
３４      スキャナ
３５      バス
３６      記録メディア
１０１    位置情報取得部
１０２    天気情報取得部
１０３    落雷確率抽出部
１０４    停電確率算出部
１０５    停電履歴記録部
１０６    データ保存先決定部
１０７    ネットワークインタフェース
１０５１  停電検知部
１０５２  停電情報記録部
１０５３  停電統計情報管理部
【先行技術文献】
【特許文献】
【００５３】
【特許文献１】特開２０１１−１６０５００号公報
【図１】
2019166744.tif 000004
【図２】
2019166744.tif 000005
【図３】
2019166744.tif 000006
【図４】
2019166744.tif 000007
【図５】
2019166744.tif 000008